(57)【要約】【課題】プラグ型コネクタが容易に装着できるソケット型コネクタ及びコネクタユニットを提供する。【解決手段】長手方向に並んで配置されプラグ側端子に接触可能な弾接部１２ａを有した複数のソケット側端子１２と、複数のソケット側端子１２を保持するソケット側ハウジング２１と、を備えたソケット型コネクタ１０において、長手方向の両端部２１ｃ、２１ｄには、ソケット側ハウジング２１に形成された凹部２１ａを有するとともに、金属材からなり弾性変形可能な第１ロック部３５及び第２ロック部３６と、長手方向に直交する短手方向に対向するガイド面３１ａ、３２ａが設けられている第１ガイド部３１及び第２ガイド部３２と、をそれぞれ備え、第１ガイド部３１及び第２ガイド部３２は、ソケット側ハウジング２１に一体に保持されて、短手方向に対向するガイド面３１ａ、３２ａが固定されている。【選択図】図４
2016146255.tif 000002
【特許請求の範囲】
【請求項１】
長手方向に並んで配置された複数のプラグ側端子と、前記長手方向の両端側に設けられた被ロック部と、を備えたプラグ型コネクタを装着可能であって、
前記長手方向に並んで配置され前記プラグ側端子に接触可能な弾接部を有し、前記プラグ型コネクタを嵌合可能とする形状に設けられた複数のソケット側端子と、前記弾接部が弾性変形可能なように複数の前記ソケット側端子を保持するソケット側ハウジングと、を備えたソケット型コネクタにおいて、
前記長手方向の両端部には、前記ソケット側ハウジングに形成された凹部を有するとともに、前記凹部に配設されて前記ソケット側端子とは分離形成された金属材からなり、前記プラグ型コネクタの被ロック部を挟持するように弾性変形可能な第１ロック部及び第２ロック部と、前記長手方向に直交する短手方向に対向するガイド面が設けられている第１ガイド部及び第２ガイド部と、をそれぞれ備え、
前記第１ガイド部及び前記第２ガイド部は、前記ソケット側ハウジングに一体に保持されて、前記短手方向に対向する前記ガイド面が固定されていることを特徴とするソケット型コネクタ。
【請求項２】
前記長手方向の両端部に、前記凹部に配設されて前記ソケット側端子とは分離形成された金属材からなる第３ガイド部と、前記第３ガイド部から前記凹部の底面側を前記長手方向に延設された延設部と、を備え、
前記第３ガイド部は、前記ソケット側端子に対して前記長手方向の位置が固定されるように前記ソケット側ハウジングに一体に保持され、
前記第１ロック部及び前記第２ロック部は、前記延設部の先端側に弾性変形可能に設けられてなることを特徴とする請求項１に記載のソケット型コネクタ。
【請求項３】
前記第１ガイド部と前記第２ガイド部を前記ソケット側ハウジングの外側で接続する架橋部を備え、
前記第１ガイド部及び前記第２ガイド部並びに前記第３ガイド部は、前記架橋部から折り曲げて前記凹部に配設されてなることを特徴とする請求項２に記載のソケット型コネクタ。
【請求項４】
請求項１乃至請求項３のいずれかに記載のソケット型コネクタと、前記プラグ型コネクタと、からなるコネクタユニットであって、
前記プラグ型コネクタは、前記長手方向に並んで配置された複数の前記プラグ側端子と、複数の前記プラグ側端子を保持するプラグ側ハウジングと、前記プラグ側ハウジングの前記長手方向の両端側に設けられた前記被ロック部と、前記ガイド面に摺接するように設けられた被ガイド部と、を備え、
前記被ガイド部及び前記被ロック部の高さが異なって設けられており、前記ソケット型コネクタに嵌合する際に、前記被ガイド部が前記ガイド面にガイドされて前記短手方向に位置決めされた状態で前記被ロック部が前記第１ロック部及び前記第２ロック部に当接し、しかる後に前記被ロック部が前記第１ロック部及び前記第２ロック部に挟持されることを特徴とするコネクタユニット。
【請求項５】
前記プラグ型コネクタは、前記プラグ側ハウジングの前記長手方向の両端側に固着された半田付け部材を備え、
前記半田付け部材は、前記プラグ側端子とは分離形成された金属材からなり、
前記被ガイド部及び前記被ロック部は、前記半田付け部材に一体に設けられていることを特徴とする請求項４に記載のコネクタユニット。
【請求項６】
前記プラグ側ハウジングと前記ソケット側ハウジングとが、異なる色として視認される異なる樹脂材からなることを特徴とする請求項４又は請求項５に記載のコネクタユニット。
【発明の詳細な説明】
【技術分野】
【０００１】
本発明は、プラグ型コネクタが装着されるソケット型コネクタ、及び、プラグ型コネクタとソケット型コネクタとが接続されるコネクタユニットに関する。
【背景技術】
【０００２】
プリント配線基板に形成された複数の通電部と、他のプリント配線基板などに形成された複数の通電部と、を電気的に接続するために、対面接合型のコネクタユニットが使用されている。このコネクタユニットは、一方の配線基板の通電部に導通するソケット型コネクタと、他方の配線基板の通電部に導通するプラグ型コネクタと、を有している。
【０００３】
例えば、特許文献１にロック機構を備えたコネクタユニットが記載されている。図１７は、特許文献１に記載のコネクタ１０１（コネクタユニット）のレセプタクル１０３（ソケット型コネクタ）、プラグ１０５（プラグ型コネクタ）を示す斜視図である。図１８は、レセプタクル１０３の分解斜視図である。図１９は、補助金具１０８の斜視図である。
【０００４】
レセプタクル１０３は、図１７に示すように、レセプタクルハウジング１０６と、複数のレセプタクルコンタクト１０７と、一対の補助金具１０８と、を備える。補助金具１０８は、図１８に示すように、補助金具本体１２０と、ガイド１２１と、一対のロック機構Ｆと、一対の被固定部１２２と、を有する。ガイド１２１は、プラグ１０５をレセプタクル１０３に対して嵌合させる際に、プラグ１０５をレセプタクル１０３に対して、ピッチ方向で位置合わせを行うための部分である。一対のロック機構Ｆは、補助金具本体１２０のピッチ直交方向における両端部からピッチ中央方向に突出するように形成されている。ロック機構Ｆは、ベース１３０と、ロックバネ片１３１と、ロック隆起１３２と、変位規制部１３３と、を有する。ロックバネ片１３１は、ロック隆起１３２がピッチ直交方向において弾性変位可能となるようにロック隆起１３２を弾性的に支持する部分である。ロック隆起１３２は、プラグ１０５に対して引っ掛かることで、レセプタクル１０３からのプラグ１０５の引き抜きに対抗する補助金具ロック力を発揮する部分である。変位規制部１３３は、ロック隆起１３２のピッチ直交反中央方向への過大な変位を規制する。
【０００５】
プラグ側基板に取り付けられたプラグ１０５が、図１９に示す補助金具１０８のガイド１２１のストレート傾斜部１２１ａのガイド面１２１ｃに対してぶつかり、ガイド面１２１ｃの傾斜に沿ってピッチ中央方向へと移動する。これにより、ピッチ方向におけるレセプタクル１０３とプラグ１０５の位置合わせが行われる。一方、ピッチ直交方向におけるレセプタクル１０３とプラグ１０５の位置合わせは、例えば、図１９に示す補助金具１０８のロック機構Ｆのロックバネ片１３１のバネ片本体１３４によって行われる。
【０００６】
近年、携帯機器の小型軽量化に伴い、プリント配線基板への高密度実装が進み、コネクタユニットも小型化や薄型化がなされている。
【先行技術文献】
【特許文献】
【０００７】
【特許文献１】特開２０１４−１９９７９９号公報
【発明の概要】
【発明が解決しようとする課題】
【０００８】
しかしながら、小型化（狭ピッチ化）によってコネクタユニット自体の機械的な強度が弱くなるが、これに対して取り付けに伴う外力の大きさがほとんど変わらないために、取り付けに伴う外力でコネクタユニットが壊れやすくなっている。従来の構造では、ロック機構のバネ片本体がピッチ直交方向における位置合わせのガイド機能を兼ねているので、ソケット型コネクタとプラグ型コネクタが位置ずれしたまま押し付けられると、バネ片本体が変形してしまう。このように位置ずれしたまま変形した場合には、ロック機構が機能するところまでプラグ型コネクタを挿入できず、プラグ型コネクタを装着することができないという問題があった。また、ピッチ直交方向にずれたままで過度の力を受けると、ソケットの端子やハウジングを破損してしまうという課題があった。
【０００９】
本発明は、上述した課題を解決するもので、プラグ型コネクタが短手方向に位置ずれしたまま押し付けられることなく容易に装着することができるソケット型コネクタ及びコネクタユニットを提供することを目的とする。
【課題を解決するための手段】
【００１０】
本発明のソケット型コネクタは、長手方向に並んで配置された複数のプラグ側端子と、前記長手方向の両端側に設けられた被ロック部と、を備えたプラグ型コネクタを装着可能であって、前記長手方向に並んで配置され前記プラグ側端子に接触可能な弾接部を有し、前記プラグ型コネクタを嵌合可能とする形状に設けられた複数のソケット側端子と、前記弾接部が弾性変形可能なように複数の前記ソケット側端子を保持するソケット側ハウジングと、を備えたソケット型コネクタにおいて、前記長手方向の両端部には、前記ソケット側ハウジングに形成された凹部を有するとともに、前記凹部に配設されて前記ソケット側端子とは分離形成された金属材からなり、前記プラグ型コネクタの被ロック部を挟持するように弾性変形可能な第１ロック部及び第２ロック部と、前記長手方向に直交する短手方向に対向するガイド面が設けられている第１ガイド部及び第２ガイド部と、をそれぞれ備え、前記第１ガイド部及び前記第２ガイド部は、前記ソケット側ハウジングに一体に保持されて、前記短手方向に対向する前記ガイド面が固定されていることを特徴とする。
【００１１】
この構成によれば、第１ガイド部及び第２ガイド部はソケット側ハウジングに一体に保持されて、短手方向に対向するガイド面が固定されているので、第１ロック部及び第２ロック部が力を受けて変形しても第１ガイド部及び第２ガイド部は変形しない。このため、プラグ型コネクタを装着する際に短手方向に位置ずれしないように正確なガイドを行うことができる。また、金属材からなる第１ガイド部及び第２ガイド部は、機械的な強度を有しているので破損しにくい。したがって、プラグ型コネクタが短手方向に位置ずれしたまま押し付けられることなく容易に装着可能なソケット型コネクタとすることができる。
【００１２】
また、本発明のソケット型コネクタにおいて、前記長手方向の両端部に、前記凹部に配設されて前記ソケット側端子とは分離形成された金属材からなる第３ガイド部と、前記第３ガイド部から前記凹部の底面側を前記長手方向に延設された延設部と、を備え、前記第３ガイド部は、前記ソケット側端子に対して前記長手方向の位置が固定されるように前記ソケット側ハウジングに一体に保持され、前記第１ロック部及び前記第２ロック部は、前記延設部の先端側に弾性変形可能に設けられてなることを特徴とする。
【００１３】
この構成によれば、ソケット側ハウジングに一体に保持された第３ガイド部から延設された延設部に第１ロック部及び第２ロック部を設けることによって、第１ロック部及び第２ロック部を容易に配設することができる。
【００１４】
また、本発明のソケット型コネクタにおいて、前記第１ガイド部と前記第２ガイド部を前記ソケット側ハウジングの外側で接続する架橋部を備え、前記第１ガイド部及び前記第２ガイド部並びに前記第３ガイド部は、前記架橋部から折り曲げて前記凹部に配設されてなることを特徴とする。
【００１５】
この構成によれば、第１ガイド部及び第２ガイド部並びに第３ガイド部は、機械的な強度を有し、弾性を備えているので、寸法公差を厳しくしなくてもよい。また、ソケット側ハウジングに圧入によって容易に取り付けることができる。
【００１６】
また、本発明のコネクタユニットは、上記いずれかのソケット型コネクタと、前記プラグ型コネクタと、からなるコネクタユニットであって、前記プラグ型コネクタは、前記長手方向に並んで配置された複数の前記プラグ側端子と、複数の前記プラグ側端子を保持するプラグ側ハウジングと、前記プラグ側ハウジングの前記長手方向の両端側に設けられた前記被ロック部と、前記ガイド面に摺接するように設けられた被ガイド部と、を備え、前記被ガイド部及び前記被ロック部の高さが異なって設けられており、前記ソケット型コネクタに嵌合する際に、前記被ガイド部が前記ガイド面にガイドされて前記短手方向に位置決めされた状態で前記被ロック部が前記第１ロック部及び前記第２ロック部に当接し、しかる後に前記被ロック部が前記第１ロック部及び前記第２ロック部に挟持されることを特徴とする。
【００１７】
この構成によれば、被ロック部が第１ロック部及び第２ロック部を弾性変形させる前に、被ガイド部がガイド面にガイドされて短手方向に位置決めされるので、ソケット型コネクタにプラグ型コネクタが短手方向に位置ずれしたまま押し付けられることなく容易に装着することができる。
【００１８】
本発明のコネクタユニットにおいて、前記プラグ型コネクタは、前記プラグ側ハウジングの前記長手方向の両端側に固着された半田付け部材を備え、前記半田付け部材は、前記プラグ側端子とは分離形成された金属材からなり、前記被ガイド部及び前記被ロック部は、前記半田付け部材に一体に設けられていることを特徴とする。
【００１９】
この構成によれば、被ガイド部と被ロック部が一体の金属材からなり、機械的な強度を有しているので破損しにくい。
【００２０】
本発明のコネクタユニットにおいて、前記プラグ側ハウジングと前記ソケット側ハウジングとが、異なる色として視認される異なる樹脂材からなることを特徴とする。
【００２１】
この構成によれば、視認可能な状態でソケット型コネクタにプラグ型コネクタを装着する場合、プラグ側ハウジングとソケット側ハウジングとの色が異なるので、容易に位置合わせできる。
【発明の効果】
【００２２】
本発明によれば、第１ガイド部及び第２ガイド部はソケット側ハウジングに一体に保持されて、短手方向に対向するガイド面が固定されているので、第１ロック部及び第２ロック部が力を受けて変形しても第１ガイド部及び第２ガイド部は変形しない。このため、プラグ型コネクタを装着する際に短手方向に位置ずれしないように正確なガイドを行うことができる。また、金属材からなる第１ガイド部及び第２ガイド部は、機械的な強度を有しているので破損しにくい。したがって、プラグ型コネクタが短手方向に位置ずれしたまま押し付けられることなく容易に装着することができるソケット型コネクタ及びコネクタユニットを提供することができる。
【図面の簡単な説明】
【００２３】
【図１】本発明の実施形態のソケット型コネクタを斜め上方から見た斜視図である。
【図２】本発明の実施形態のソケット型コネクタを斜め下方から見た斜視図である。
【図３】本発明の実施形態のソケット型コネクタを示す平面図である。
【図４】本発明の実施形態のソケット型コネクタを示す分解斜視図である。
【図５】ソケット側端子の説明図である。
【図６】図３のＶＩ−ＶＩ線で切断した断面図である。
【図７】図３のＶＩＩ−ＶＩＩ線で切断した断面図である。
【図８】本発明の実施形態のプラグ型コネクタを斜め上方から見た斜視図である。
【図９】本発明の実施形態のプラグ型コネクタを斜め下方から見た斜視図である。
【図１０】本発明の実施形態のプラグ型コネクタを示す側面図である。
【図１１】本発明の実施形態のプラグ型コネクタを示す分解斜視図である。
【図１２】図１０のＸＩＩ−ＸＩＩ線で切断した断面図である。
【図１３】本発明の実施形態のコネクタユニットを示す斜視図である。
【図１４】図７に示すソケット型コネクタの断面位置で、プラグ型コネクタを装着する際の位置ずれ状態を説明する断面図である。
【図１５】図１４に示す断面位置で、プラグ型コネクタを挿入している途中の状態を説明する断面図である。
【図１６】図１４に示す断面位置で、プラグ型コネクタがソケット型コネクタに装着された状態を説明する断面図である。
【図１７】従来のコネクタのレセプタクルとプラグを示す斜視図である。
【図１８】図１７のレセプタクルの分解斜視図である。
【図１９】図１８の補助金具の斜視図である。
【発明を実施するための形態】
【００２４】
以下、本発明の実施の形態について図面を用いて詳細に説明する。なお、分かりやすいように、図面は寸法を適宜変更している。
【００２５】
［ソケット型コネクタ］
図１は、本発明の実施形態のソケット型コネクタ１０を斜め上方から見た斜視図である。図２は、ソケット型コネクタ１０を斜め下方から見た斜視図である。図３は、ソケット型コネクタ１０を示す平面図である。図４は、ソケット型コネクタ１０を示す分解斜視図である。図５は、ソケット側端子１２の説明図である。図６は、図３のＶＩ−ＶＩ線で切断した断面図である。図７は、図３のＶＩＩ−ＶＩＩ線で切断した断面図である。
【００２６】
本実施形態のソケット型コネクタ１０は、図１〜図３に示すように、Ｙ１−Ｙ２方向の外形寸法に対して、Ｙ１−Ｙ２方向に直交するＸ１−Ｘ２方向の外形寸法、及び、それらに直交するＺ１−Ｚ２方向の外形寸法が小さい略矩形の形状を有している。
【００２７】
なお、以下の説明では、図１のＹ１−Ｙ２方向を長手方向、Ｘ１−Ｘ２方向を短手方向、Ｚ１−Ｚ２方向を垂直方向と呼称する。また、説明を分かりやすくするため、Ｚ１側を上面側、Ｚ２側を底面側と呼称するが、これはソケット型コネクタ１０の実使用状態での方向を限定するものではない。
【００２８】
本実施形態のソケット型コネクタ１０は、図１〜図４に示すように、ソケット側ハウジング２１と、ソケット側ハウジング２１に保持された複数のソケット側端子１２及び複数のガイド部材３０とを備える。
【００２９】
ソケット側ハウジング２１は、合成樹脂を成形して、長手方向に細長い略直方体に凹部２１ａ、２１ｂが形成された形状に加工されたものである。凹部２１ａは、ソケット側ハウジング２１の長手方向の両端部２１ｃ、２１ｄに形成されている。凹部２１ｂは、両端部２１ｃ、２１ｄの凹部２１ａと繋がるように連続して長手方向に延在している。凹部２１ｂには、複数のソケット側端子１２が挿入される細溝が設けられている。
【００３０】
複数のソケット側端子１２は、弾性を備えた導電性の金属材を折り曲げたものである。本実施形態では、長手方向に３０個のソケット側端子１２を有し、長手方向に隣り合うソケット側端子１２は、交互に短手方向の向きが逆になるように配置されている。１個のソケット側端子１２は、図５に示すように、一端側に弾接部１２ａが設けられた凹形状を有し、弾接部１２ａに対向配置された対向部１２ｂと、対向部１２ｂからさらに折り曲げて延設された保持部１２ｅ及び半田付け端子部１２ｆを備えている。保持部１２ｅは長手方向に幅広に形成されており、ソケット側ハウジング２１の凹部２１ｂに形成された細溝に圧入されて保持されるようになっている。半田付け端子部１２ｆは、ソケット型コネクタ１０が図示しない回路基板に実装されるときに半田等で固定される部分であり、これにより回路基板への物理的接続と、回路基板に形成されている配線への電気的接続とがなされる。一方、ソケット側端子１２の一端側はソケット側ハウジング２１の細溝に沿って配置され、ソケット側ハウジング２１と当接しない範囲で変形可能な状態になっている。これにより、弾接部１２ａと対向部１２ｂとの距離が僅かに拡がるように、ソケット側端子１２を弾性変形させることができる。
【００３１】
ガイド部材３０は、ソケット側端子１２とは分離形成された金属材からなり、図４に示すように、ソケット側ハウジング２１の長手方向の両端部２１ｃ、２１ｄに形成された凹部２１ａに配設されている。それぞれのガイド部材３０は、凹部２１ａの外側に配置された架橋部３７と、架橋部３７から折り曲げて凹部２１ａに配設されてなる第１ガイド部３１及び第２ガイド部３２並びに第３ガイド部３３と、第３ガイド部３３から延設された延設部３４と、を備える。
【００３２】
架橋部３７は、ソケット側ハウジング２１の外側の壁面に沿って短手方向から長手方向に折り曲げられている。第１ガイド部３１及び第２ガイド部３２は、ソケット側ハウジング２１の外側から短手方向に折り曲げられて凹部２１ａに配設されている。また、図６に示すように、第３ガイド部３３は、ソケット側ハウジング２１の外側から長手方向に折り曲げられて凹部２１ａに配設されている。第１ガイド部３１及び第２ガイド部３２には、長手方向に直交する短手方向に対向するガイド面３１ａ、３２ａが設けられている。第３ガイド部３３には、ガイド面３３ａが設けられている。
【００３３】
第１ガイド部３１及び第２ガイド部３２並びに第３ガイド部３３は上面側が凹部２１ａの内側に向かって傾斜した曲面３１ｂ、３２ｂ、３３ｂになって、ガイド面３１ａ、３２ａ、３３ａは曲面３１ｂ、３２ｂ、３３ｂからそれぞれ連続している。第１ガイド部３１及び第２ガイド部３２並びに第３ガイド部３３は、機械的な強度を有している金属材からなるので破損しにくくい。
【００３４】
なお、第３ガイド部３３には、図７に示すように係合部３３ｃが形成されていて、凹部２１ａにおいてソケット側ハウジング２１に係合部３３ｃが圧入されて固定されている。これによって、ガイド部材３０は、ソケット側端子１２に対してガイド面３３ａの長手方向の位置が固定されるようにして、ソケット側ハウジング２１に一体に保持される。一方、第１ガイド部３１及び第２ガイド部３２は、係合部３３ｃが固定されることによって、架橋部３７を介してソケット側ハウジング２１に一体に保持されて、短手方向に対向するガイド面３１ａ、３２ａの配設位置が固定されている。また、図６に示すように、延設部３４の先端は凹部２１ａの内壁に当接し、この位置から底面側に移動できないように係止される。このようにして、金属材からなる第１ガイド部３１及び第２ガイド部３２並びに第３ガイド部３３を備えたガイド部材３０は、機械的な強度を有し、且つ、弾性を備えているので、寸法公差を厳しくしなくてもソケット側ハウジング２１に取り付けることができる。また、ソケット側ハウジング２１に圧入によって容易に取り付けることができる。
【００３５】
さらに、延設部３４が第３ガイド部３３から凹部２１ａの底面側を長手方向に延設されて形成されている。そして、図７に示すように、延設部３４の先端側から短手方向の両側にさらに延設されて、第１ロック部３５及び第２ロック部３６が弾性変形可能に形成されている。本実施形態では、第３ガイド部３３から延設された延設部３４に第１ロック部３５及び第２ロック部３６を設けることによって、第１ロック部３５及び第２ロック部３６を容易に配設することができ、ソケット側ハウジング２１に一体に保持される。また、第１ロック部３５及び第２ロック部３６が側方に押し広げられるように弾性変形する際に、第１ガイド部３１及び第２ガイド部３２並びに第３ガイド部３３が変形してしまうことがない。
【００３６】
［プラグ型コネクタ］
図８は、本発明の実施形態のプラグ型コネクタ４０を斜め上方から見た斜視図である。図９は、プラグ型コネクタ４０を斜め下方から見た斜視図である。図１０は、プラグ型コネクタ４０を示す側面図である。図１１は、プラグ型コネクタ４０を示す分解斜視図である。図１２は、図１０のＸＩＩ−ＸＩＩ線で切断した断面図である。
【００３７】
本実施形態のプラグ型コネクタ４０は、図８〜図１０に示すように、Ｙ１−Ｙ２方向の外形寸法に対して、Ｙ１−Ｙ２方向に直交するＸ１−Ｘ２方向の外形寸法、及び、それらに直交するＺ１−Ｚ２方向の外形寸法が小さい略矩形の形状を有している。
【００３８】
なお、以下の説明では、図８のＹ１−Ｙ２方向を長手方向、Ｘ１−Ｘ２方向を短手方向、Ｚ１−Ｚ２方向を垂直方向と呼称する。また、説明を分かりやすくするため、Ｚ１側を上面側、Ｚ２側を底面側と呼称するが、これはプラグ型コネクタ４０の実使用状態での方向を限定するものではない。
【００３９】
プラグ型コネクタ４０は、ソケット側ハウジング２１の凹部２１ａ、２１ｂに配設されたガイド部材３０及び複数のソケット側端子１２と嵌合する寸法を有し、ソケット型コネクタ１０に装着可能となっている。
【００４０】
プラグ型コネクタ４０は、図８〜図１１に示すように、長手方向に並んで配置された複数のプラグ側端子４２と、複数のプラグ側端子４２を保持するプラグ側ハウジング５１と、プラグ側ハウジング５１の長手方向の両端側に設けられた半田付け部材６０とを備える。
【００４１】
プラグ側ハウジング５１は、合成樹脂を成形して、長手方向に細長い略直方体の形状に加工されたものである。なお、プラグ側ハウジング５１に用いられる合成樹脂は、着色材等を加えることによって、ソケット側ハウジング２１とは異なる色として視認される樹脂材であることが好ましい。例えば、視認可能な状態でソケット型コネクタ１０にプラグ型コネクタ４０を装着する場合、プラグ側ハウジング５１とソケット側ハウジング２１との色が異なるので、容易に位置合わせできる。なお、異なる色であれば、合成樹脂の主材質は同じであってもよい。
【００４２】
プラグ側端子４２は、導電性の金属材を折り曲げて、その一部がプラグ側ハウジング５１に埋設されている。本実施形態では、長手方向に３０個のプラグ側端子４２を有し、長手方向に隣り合うプラグ側端子４２は、交互に短手方向の向きが逆になるように配置されている。１個のプラグ側端子４２は、図８に示すように、プラグ側ハウジング５１の上方に露出した半田付け端子部４２ｆを備えている。半田付け端子部４２ｆは、プラグ型コネクタ４０が図示しない回路基板に実装されるときに半田等で固定される部分であり、これにより回路基板への物理的接続と、回路基板に形成されている配線への電気的接続とがなされる。なお、回路基板として、可橈性を有するフレキシブルプリント回路基板（ＦＰＣ）が用いられることがある。また、プラグ側端子４２は、図９に示すように、少なくともプラグ側ハウジング５１の側面に露出した接続部４２ａを備えている。
【００４３】
半田付け部材６０は、プラグ側端子４２とは分離形成された金属材からなり、図１１に示すように、被ガイド部６１、６２、６３及び被ロック部６５、６６が一体に設けられた形状を有している。半田付け部材６０の上面側は、図１０に示すように、半田付け端子部４２ｆと同じ高さに設けられている。被ガイド部６１、６２、６３は、図９及び図１１に示すように、底面側から延設されており、被ガイド部６１、６２、６３の底面側の高さと被ロック部６５、６６の高さが異なって設けられている（図１０及び図１２参照）。
【００４４】
本実施形態のプラグ型コネクタ４０は、プラグ側ハウジング５１を成形する際、インサート成形によってプラグ側端子４２及び半田付け部材６０が一体化されている。インサート成形によって形成されたプラグ型コネクタ４０は、ソケット型コネクタ１０に装着される際に、ほとんど変形しない剛性を有する。また、被ガイド部６１、６２と被ロック部６５、６６が一体の金属材からなり、機械的な強度を有しているので破損しにくい。なお、プラグ側端子４２及び半田付け部材６０は、一枚の金属板から、打ち抜きと折り曲げによって加工され、インサート成形後に分離形成されることが好適である。
【００４５】
［コネクタユニット］
図１３は、本発明の実施形態のコネクタユニット１を示す斜視図である。図１４は、図７に示すソケット型コネクタ１０の断面位置で、プラグ型コネクタ４０を装着する際の位置ずれ状態を説明する断面図である。図１５は、図１４に示す断面位置で、プラグ型コネクタ４０を挿入している途中の状態を説明する断面図である。図１６は、図１４に示す断面位置で、プラグ型コネクタ４０がソケット型コネクタ１０に装着された状態を説明する断面図である。
【００４６】
本実施形態のコネクタユニット１は、ソケット型コネクタ１０とプラグ型コネクタ４０からなる。ソケット型コネクタ１０は、プラグ型コネクタ４０を嵌合可能とする形状に設けられた複数のソケット側端子１２を備え、それぞれのソケット側端子１２はプラグ側端子４２に接触可能な弾接部１２ａを有している。ソケット型コネクタ１０は、例えば、図示しない回路基板に半田付け端子部１２ｆが半田付けされて実装される。また、プラグ型コネクタ４０は、例えば、図１３に二点鎖線で示すフレキシブルプリント回路基板７０に、半田付け端子部４２ｆが半田付けされて実装される。そして、ソケット型コネクタ１０にプラグ型コネクタ４０が装着されて、ソケット側端子１２の弾接部１２ａがプラグ側端子４２の接続部４２ａに接触して、回路基板とフレキシブルプリント回路基板７０との電気的接続がなされる。このとき、プラグ型コネクタ４０が実装されているフレキシブルプリント回路基板７０は、プラグ側ハウジング５１の長手方向の両端側を上面側から視認可能とする形状である。また、ソケット型コネクタ１０の第１ガイド部３１及び第２ガイド部３２並びに第３ガイド部３３と重ならない形状である。
【００４７】
こうすれば、上面側からソケット型コネクタ１０への位置合わせが容易である。とくに、プラグ側ハウジング５１とソケット側ハウジング２１とが、異なる色として視認される異なる着色材等を加えた樹脂材からなる場合には、さらに位置合わせが容易である。
【００４８】
しかしながら、回路基板に実装されたソケット型コネクタ１０に対して、プラグ型コネクタ４０が実装されたプラグ型コネクタ４０を装着しようとする際、正確な位置合わせができずに、例えば図１４に示す位置ずれした状態で接触することが想定される。
【００４９】
図１４では、ソケット型コネクタ１０に対してプラグ型コネクタ４０がＸ２方向に位置ずれしている状態で、第２ガイド部３２の曲面３２ｂに被ガイド部６２が当接した瞬間である。プラグ型コネクタ４０はＺ２方向へ押圧されているので、被ガイド部６２が第２ガイド部３２の曲面３２ｂに沿って摺動しながらガイド面３２ａにガイドされる。その結果、図１５に示すように、被ガイド部６１がガイド面３１ａに摺接する位置までガイドされる。なお、長手方向にも、被ガイド部６３が第３ガイド部３３の曲面３３ｂに沿ってガイドされ、ガイド面３３ａ摺接する位置までガイドされる。一方、被ガイド部６１、６２がガイド面３１ａ、３２ａにガイドされて短手方向に位置決めされた状態になってから、図１５に示すように、被ロック部６５、６６が第１ロック部３５及び第２ロック部３６に当接することになる。被ロック部６５、６６が第１ロック部３５及び第２ロック部３６に当接すると、弱い押圧力ではプラグ型コネクタ４０が挿入できなくなり、より強い力を加えて、第１ロック部３５及び第２ロック部３６を側方に押し広げるように弾性変形させる必要が生じる。図１５に示すように、被ロック部６５、６６が第１ロック部３５及び第２ロック部３６に挿入された状態では、被ロック部６５、６６が第１ロック部３５及び第２ロック部３６に挟持され、今度は、被ロック部６５、６６が上方に外れないように作用することとなる。また、ソケット側端子１２の弾接部１２ａがプラグ側端子４２の接続部４２ａに接触して、ソケット側端子１２がプラグ側端子４２を挟持した状態になっているので、回路基板とフレキシブルプリント回路基板７０との電気的接続がなされる。
【００５０】
本実施形態のプラグ型コネクタ４０は、被ガイド部６１、６２、６３及び被ロック部６５、６６の高さが異なって設けられている。これにより、被ガイド部６１、６２がガイド面３１ａ、３２ａにガイドされて位置決めされた状態で被ロック部６５、６６が第１ロック部３５及び第２ロック部３６に当接し、しかる後に被ロック部６５、６６が第１ロック部３５及び第２ロック部３６に挟持される。このとき、被ロック部６５、６６が第１ロック部３５及び第２ロック部３６を弾性変形させる前に、被ガイド部６１、６２がガイド面３１ａ、３２ａにガイドされて短手方向に位置決めされる関係になっている。このため、ソケット型コネクタ１０にプラグ型コネクタ４０が短手方向に位置ずれすることなく容易に装着できる。
【００５１】
なお、ガイド部材３０は、ソケット側ハウジング２１に圧入によって取り付けられているので、ガイド面３１ａ、３２ａ、３３ａはソケット側ハウジング２１の壁面と僅かに隙間を有している。しかしながら、ガイド部３１、３２、３３が変形するような外力が加わわることはないと考えられ、上述のように曲面３１ｂ、３２ｂ、３３ｂに沿って適切にガイドされることとなる。
【００５２】
以下、本実施形態としたことによる効果について説明する。
【００５３】
本実施形態のソケット型コネクタ１０は、弾接部１２ａを有し、形状に設けられた複数のソケット側端子１２と、弾接部１２ａが弾性変形可能なように複数のソケット側端子１２を保持するソケット側ハウジング２１と、を備える。そして、長手方向の両端部には、ソケット側ハウジング２１に形成された凹部２１ａを有するとともに、凹部２１ａに配設されてソケット側端子１２とは分離形成された金属材からなるガイド部材３０を備える。ガイド部材３０は、プラグ型コネクタ４０の被ロック部６５、６６を挟持するように弾性変形可能な第１ロック部３５及び第２ロック部３６と、長手方向に直交する短手方向に対向するガイド面３１ａ、３２ａが設けられている第１ガイド部３１及び第２ガイド部３２と、をそれぞれ備える。さらに、第１ガイド部３１及び第２ガイド部３２は、ソケット側ハウジング２１に一体に保持されて、短手方向に対向するガイド面３１ａ、３２ａが固定されている。
【００５４】
この構成によれば、ソケット側ハウジング２１に一体に保持されて、短手方向に対向するガイド面３１ａ、３２ａが固定されているので、第１ロック部３５及び第２ロック部３６が力を受けて変形しても第１ガイド部３１及び第２ガイド部３２は変形しない。このため、プラグ型コネクタ４０を装着する際に短手方向に位置ずれしないように正確なガイドを行うことができる。また、金属材からなる第１ガイド部３１及び第２ガイド部３２は、機械的な強度を有しているので破損しにくい。
【００５５】
また、長手方向の両端部に、凹部２１ａに配設されてソケット側端子１２とは分離形成された金属材からなる第３ガイド部３３と、第３ガイド部３３から凹部２１ａの底面側を長手方向に延設された延設部３４と、を備える。そして、第３ガイド部３３は、ソケット側端子１２に対して長手方向の位置が固定されるようにソケット側ハウジング２１に一体に保持され、第１ロック部３５及び第２ロック部３６は、延設部３４の先端側に弾性変形可能に設けられてなる。
【００５６】
この構成によれば、ソケット側ハウジング２１に一体に保持された第３ガイド部３３から延設された延設部３４に第１ロック部３５及び第２ロック部３６を設けることによって、第１ロック部３５及び第２ロック部３６を容易に配設することができる。
【００５７】
また、第１ガイド部３１と第２ガイド部３２をソケット側ハウジング２１の外側で接続する架橋部３７を備え、第１ガイド部３１及び第２ガイド部３２並びに第３ガイド部３３は、架橋部３７から折り曲げて凹部２１ａに配設されてなる。
【００５８】
この構成によれば、第１ガイド部３１及び第２ガイド部３２並びに第３ガイド部３３は、機械的な強度を有し、弾性を備えているので、寸法公差を厳しくしなくてもよい。また、ソケット側ハウジング２１に圧入によって容易に取り付けることができる。
【００５９】
また、本実施形態のコネクタユニット１は、ソケット型コネクタ１０と、プラグ型コネクタ４０と、からなる。プラグ型コネクタ４０は、長手方向に並んで配置された複数のプラグ側端子４２と、複数のプラグ側端子４２を保持するプラグ側ハウジング５１と、長手方向の両端側に設けられた被ロック部６５、６６と、被ガイド部６１、６２と、を備える。そして、被ガイド部６１、６２及び被ロック部６５、６６の高さが異なって設けられている。ソケット型コネクタ１０に嵌合する際に、被ガイド部６１、６２がガイド面３１ａ、３２ａにガイドされて短手方向に位置決めされた状態で被ロック部６５、６６が第１ロック部３５及び第２ロック部３６に当接する。しかる後に被ロック部６５、６６が第１ロック部３５及び第２ロック部３６に挟持される。
【００６０】
この構成によれば、被ロック部６５、６６が第１ロック部３５及び第２ロック部３６を弾性変形させる前に、被ガイド部６１、６２がガイド面３１ａ、３２ａにガイドされて短手方向に位置決めされる。このため、ソケット型コネクタ１０にプラグ型コネクタ４０が短手方向に位置ずれすることなく容易に装着できる。
【００６１】
本実施形態のコネクタユニット１において、プラグ型コネクタ４０は、プラグ側ハウジング５１の長手方向の両端側に固着された半田付け部材６０を備え、半田付け部材６０は、プラグ側端子４２とは分離形成された金属材からなる。そして、被ガイド部６１、６２及び被ロック部６５、６６は、半田付け部材６０に一体に設けられている。
【００６２】
この構成によれば、被ガイド部６１、６２と被ロック部６５、６６が一体の金属材からなり、機械的な強度を有しているので破損しにくい。
【００６３】
本実施形態のコネクタユニット１において、プラグ側ハウジング５１とソケット側ハウジング２１とが、異なる色として視認される異なる樹脂材からなる。
【００６４】
この構成によれば、視認可能な状態でソケット型コネクタ１０にプラグ型コネクタ４０を装着する場合、プラグ側ハウジング５１とソケット側ハウジング２１との色が異なるので、容易に位置合わせできる。
【００６５】
以上のように、本発明の実施形態のソケット型コネクタ１０及びコネクタユニット１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００６６】
（１）本実施形態において、ソケット型コネクタ１０は、複数のソケット側端子１２及びガイド部材３０がソケット側ハウジング２１に圧入されて一体化されるとしたが、圧入でなく、インサート成形で一体化するように構成してもよい。また、プラグ型コネクタ４０をインサート成形でなく、圧入によってプラグ側端子４２及び半田付け部材６０をプラグ側ハウジング５１と一体化させてもよい。
【００６７】
（２）本実施形態において、ソケット型コネクタ１０は、第１ロック部３５及び第２ロック部３６の高さ位置を第１ガイド部３１及び第２ガイド部３２並びに第３ガイド部３３より低くしているが、これに限定されるものではない。例えば、プラグ型コネクタ４０がの被ロック部６５、６６の高さ位置を被ガイド部６１、６２の高さ位置より上方に形成すれば、本実施形態と同様、被ガイド部６１、６２がガイド面３１ａ、３２ａにガイドされて短手方向に位置決めできる。
【００６８】
（３）本実施形態において、ガイド部材３０は、第１ガイド部３１及び第２ガイド部３２並びに第３ガイド部３３と、第３ガイド部３３から延設された延設部３４の先端側から第１ロック部３５及び第２ロック部３６が形成されているとしたが、これに限定されない。例えば、第１ロック部３５及び第２ロック部３６が別部材を圧入することによって形成されたものであってもよい。
【符号の説明】
【００６９】
１      コネクタユニット
１０    ソケット型コネクタ
１２    ソケット側端子
１２ａ  弾接部
１２ｂ  対向部
１２ｅ  保持部
１２ｆ  半田付け端子部
２１    ソケット側ハウジング
２１ａ、２１ｂ  凹部
２１ｃ、２１ｄ  両端部
３０    ガイド部材
３１    第１ガイド部
３１ａ  ガイド面
３１ｂ  曲面
３２    第２ガイド部
３２ａ  ガイド面
３２ｂ  曲面
３３    第３ガイド部
３３ａ  ガイド面
３３ｂ  曲面
３３ｃ  係合部
３４    延設部
３５    第１ロック部
３６    第２ロック部
３７    架橋部
４０    プラグ型コネクタ
４２    プラグ側端子
４２ａ  接続部
４２ｆ  半田付け端子部
５１    プラグ側ハウジング
６０    半田付け部材
６１、６２  被ガイド部
６５、６６  被ロック部
７０    フレキシブルプリント回路基板
【図１】
2016146255.tif 000003
【図２】
2016146255.tif 000004
【図３】
2016146255.tif 000005
【図４】
2016146255.tif 000006
【図５】
2016146255.tif 000007
【図６】
2016146255.tif 000008
【図７】
2016146255.tif 000009
【図８】
2016146255.tif 000010
【図９】
2016146255.tif 000011
【図１０】
2016146255.tif 000012
【図１１】
2016146255.tif 000013
【図１２】
2016146255.tif 000014
【図１３】
2016146255.tif 000015
【図１４】
2016146255.tif 000016
【図１５】
2016146255.tif 000017
【図１６】
2016146255.tif 000018
【図１７】
2016146255.tif 000019
【図１８】
2016146255.tif 000020
【図１９】
2016146255.tif 000021